【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
光軸方向にて互いに連結され、レンズユニットをそれぞれ保持する第１のレンズ保持枠および第２のレンズ保持枠と、
前記第１のレンズ保持枠に対して光軸直交面内での移動が制限された状態で取り付けられ、前記第２のレンズ保持枠の前記第１のレンズ保持枠に対する光軸方向での移動を阻止するための移動制限部材と、
前記第２のレンズ保持枠および前記移動制限部材を用いて構成され、前記第２のレンズ保持枠の前記第１のレンズ保持枠に対する光軸直交面内での位置調整を行う調整機構とを有することを特徴とする光学機器。
【請求項２】
前記移動制限部材は、締結部材によって前記第１のレンズ保持枠に取り付けられ、
前記位置調整は、前記締結部材の不完全な締め込み状態で行われることを特徴とする請求項１に記載の光学機器。
【請求項３】
前記不完全な締め込み状態において、前記第２のレンズ保持枠を前記第１のレンズ保持枠に対して光軸方向にて圧接させる付勢部材を有することを特徴とする請求項２に記載の光学機器。
【請求項４】
前記付勢部材は、前記移動制限部材を介して前記第２のレンズ保持枠を前記第１のレンズ保持枠側に付勢することを特徴とする請求項３に記載の光学機器。
【請求項５】
前記付勢部材は、前記締結部材の頭部と前記移動制限部材との間に配置されていることを特徴とする請求項４に記載の光学機器。
【請求項６】
前記調整機構は、前記第２のレンズ保持枠の外周において光軸直交方向に延びる回転軸を中心に回転可能に配置され、前記回転軸に対して偏芯して前記第２のレンズ保持枠に当接する周面を備えた偏芯部材を有しており、該偏芯部材を回転させて前記位置調整を行うことを特徴とする請求項１から５のいずれか１つに記載の光学機器。
【請求項７】
前記第１のレンズ保持枠は、周方向における複数の箇所から光軸方向に延びる延出部を有し、
前記各延出部の先端には、前記第２のレンズ保持枠が光軸方向にて当接し、かつ前記移動制限部材が光軸直交面内での移動が制限された状態で取り付けられていることを特徴とする請求項１から６のいずれか１つに記載の光学機器。
【請求項８】
前記移動制限部材は、前記複数の延出部と係合可能なリング状に形成されていることを特徴とする請求項７に記載の光学機器。
【請求項９】
前記調整機構は、前記延出部ごとに設けられていることを特徴とする請求項７又は８に記載の光学機器。
【請求項１０】
前記偏芯部材のうち回転操作される部分は、前記移動制限部材に設けられた互いに向かい合う２つの面と、前記第２のレンズ保持枠に設けられた互いに向かい合う２つの面とによって囲まれていることを特徴とする請求項６に記載の光学機器。
【手続補正２】
【補正対象書類名】明細書
【補正対象項目名】０００１
【補正方法】変更
【補正の内容】
【０００１】
本発明は、レンズユニットを保持するレンズ保持枠を有する光学機器に関し、特に、レンズユニットを保持するレンズ保持枠の光軸直交面内での位置調整に関する。
【手続補正３】
【補正対象書類名】明細書
【補正対象項目名】０００３
【補正方法】変更
【補正の内容】
【０００３】
しかしながら、上記公報にて提案の光学機器では、第１および第２の素子保持部材間に、結合部材による第１および第２の素子保持部材の結合構造と、第１および第２の素子保持部材の光軸直交方向における相対位置決めを行う調整機構とを設けることが必要であり、第１および第２の素子保持部材の形状が複雑で占有空間も大きくなることから、機器の設計自由度が大幅に制限され、機器が大型化してしまう場合があった。
【手続補正４】
【補正対象書類名】明細書
【補正対象項目名】０００５
【補正方法】変更
【補正の内容】
【０００５】
上記課題を解決するために、１つの観点としての本発明の光学機器は、光軸方向にて互いに連結され、レンズユニットをそれぞれ保持する第１のレンズ保持枠および第２のレンズ保持枠と、前記第１のレンズ保持枠に対して光軸直交面内での移動が制限された状態で取り付けられ、前記第２のレンズ保持枠の前記第１のレンズ保持枠に対する光軸方向での移動を阻止するための移動制限部材と、前記第２のレンズ保持枠および前記移動制限部材を用いて構成され、前記第２のレンズ保持枠の前記第１のレンズ保持枠に対する光軸直交面内での位置調整を行う調整機構とを有することを特徴とする。
【手続補正５】
【補正対象書類名】明細書
【補正対象項目名】０００６
【補正方法】変更
【補正の内容】
【０００６】
本発明によれば、第２のレンズ保持枠の第１のレンズ保持枠に対する光軸直交面内での位置調整を行う調整機構を、第２のレンズ保持枠及び移動制限部材を用いて構成しているため、従来例のように第１のレンズ保持枠と第２のレンズ保持枠の間に別途、調整機構を設ける必要がなくなり、光学機器を小型化できる。
【手続補正６】
【補正対象書類名】明細書
【補正対象項目名】００１１
【補正方法】変更
【補正の内容】
【００１１】
１０１はマウントで、カメラ本体（不図示）に取り付けるためのバヨネット部を有しており、固定筒１０２にビス止めされている。１０３は外装環で、マウント１０１と固定筒１０２との間に挟み込まれて固定されている。
【手続補正７】
【補正対象書類名】明細書
【補正対象項目名】００１６
【補正方法】変更
【補正の内容】
【００１６】
第３レンズ保持枠１０９（第１のレンズ保持枠）には、絞り駆動部と絞り羽根部とから構成される電磁絞りユニット１１７がビス止めされている。また、第３レンズ保持枠１０９には、光軸直交方向に突出するフランジ形状部が周方向３箇所に形成されており、これらのフランジ形状部には、光軸方向後方（カメラ本体側）に延びる延出部１０９ａ（図３参照）が設けられている。
【手続補正８】
【補正対象書類名】明細書
【補正対象項目名】００１７
【補正方法】変更
【補正の内容】
【００１７】
これらの延出部１０９ａの先端には、光軸直交方向に延びる当接面１０９ｂ、ネジ穴部１０９ｄ及び一対の円柱状突起１０９ｃが設けられており、当接面１０９ｂには第６レンズ保持枠１１８（第２のレンズ保持枠）が当接する。
【手続補正９】
【補正対象書類名】明細書
【補正対象項目名】００１８
【補正方法】変更
【補正の内容】
【００１８】
第６レンズ保持枠１１８の外周面における光軸方向前方には、第３レンズ保持枠１０９の当接面１０９ｂに対応するように、フランジ部１１８ａが周方向三箇所に設けられており、これらのフランジ部１１８ａには、延出部１０９ａに形成されたネジ穴部１０９ｄに対応する第６ビス穴部１１８ｂが形成されている。また、フランジ部１１８aの光軸方向後方には、光軸方向に延びる溝部１１８ｄ（調整機構）及び光軸方向にて向き合う一対の壁部１１８eが周方向三箇所（フランジ部１１８ａとは異なる位相）に設けられている。
【手続補正１０】
【補正対象書類名】明細書
【補正対象項目名】００１９
【補正方法】変更
【補正の内容】
【００１９】
補強板１１９（移動制限部材）はリング状に形成されており、この補強板１１９には、第６レンズ保持枠１１８の第６ビス穴部１１８ｂに対応する補強板ビス穴部１１９ａが周方向３箇所に形成されている。さらに、補強板１１９には光軸方向に延びる一対の壁部１１９ｄが周方向３箇所に形成されており、これらの壁部１１９ｄによって偏芯ピン１４６の第２の軸部１４６ｂが狭持されている。
【手続補正１１】
【補正対象書類名】明細書
【補正対象項目名】００２０
【補正方法】変更
【補正の内容】
【００２０】
さらに、補強板１１９には丸穴部１１９ｂおよび長穴部１１９ｃが形成されており、これらの穴部１１９ｂ、１１９ｃには、第３レンズ保持枠１０９の円筒状突起１０９ｃが係合している。円筒状突起１０９ｃを穴部１１９ｂ、１１９ｃに対して係合させることにより、補強板１１９を第３レンズ保持枠１０９に対して光軸直交面内で位置決めするとともに、第３レンズ保持枠１０９の延出部１０９ａの変形を防止することができる。
【手続補正１２】
【補正対象書類名】明細書
【補正対象項目名】００２９
【補正方法】変更
【補正の内容】
【００２９】
１３２はズーム操作環で、周方向に設けられた溝部にコロ１３１が係合することで、光軸方向の移動が阻止された状態で光軸回りに回転可能となっている。ズーム操作環１３２の内周には、カム筒１０８にビス止められたズームキー１３３が係合する凹部が形成されている。ズームキー１３３がこの凹部に係合することにより、ズームキー１３３を介してズーム操作環１３２と一体的にカム筒１０８を回転させることができる。
【手続補正１３】
【補正対象書類名】明細書
【補正対象項目名】００４２
【補正方法】変更
【補正の内容】
【００４２】
次に、第３レンズユニットＬ３と第６レンズユニットＬ６とを一体的に連結するレンズ保持構造における光軸ずれ修正について詳細に説明する。光軸ずれ修正は、上記で説明した構成部品のうち、マウント１０１、外装環１０３、マニュアルリング１２６、メイン基板１４２、裏蓋１４４およびこれらに固定された部品を組み込む前に、固定筒１０２を調整治具本体（不図示）に固定した状態で、第６レンズユニットＬ６を保持した第６レンズ保持枠１１８を、第３レンズユニットＬ３を保持した第３レンズ保持枠１０９に対して光軸直交面内の位置を調整して取り付ける。
【手続補正１４】
【補正対象書類名】明細書
【補正対象項目名】００４５
【補正方法】変更
【補正の内容】
【００４５】
これにより、第３レンズ保持枠１０９、第６レンズ保持枠１１８及び補強板１１９が一体化され、交換レンズ内において１つの可動ユニットを構成する。光軸ずれ修正は、ビス１４５を途中まで締め付けた（あるいは緩めた）状態（不完全な締め込み状態）、すなわち第６レンズ保持枠１１８を第３レンズ保持枠１０９に完全に固定できていないが、ばね部材１２０（付勢部材）によるばね力（付勢力）によって補強板１１９を介して第６レンズ保持枠１１８を第３レンズ保持枠１０９に対して押圧した状態（第３レンズ保持枠１０９と補強板１１９は光軸方向および光軸直交方向ともに相対移動不可、第６レンズ保持枠１１８は、これら２部品に対して光軸方向には移動不可であるが、光軸直交面内では移動可能に保持された状態）で行われる。
【手続補正１５】
【補正対象書類名】明細書
【補正対象項目名】００４７
【補正方法】変更
【補正の内容】
【００４７】
すなわち、図４に示すように、第２の軸部１４６ｂを反時計周り方向に回転させると、第１の軸部１４６ａは、破線Ｂの軌跡に従い、第２の軸部１４６ｂを回転中心として矢印Ａ方向に偏芯回転し、第１の軸部１４６aに対して溝部１１８ｄの光軸直交端面において当接する第６レンズ保持枠１１８は、光軸直交面内で移動する。
【手続補正１６】
【補正対象書類名】明細書
【補正対象項目名】００４８
【補正方法】変更
【補正の内容】
【００４８】
そして、３箇所の偏芯ピン１４６を上述のように回転させることにより、第６レンズ保持枠１１８を光軸直交面内での所望の位置に移動させることができる。これにより、第３レンズユニットＬ３に対する第６レンズユニットＬ６の光軸ずれを補正することができる。ここで、第６レンズ保持枠１１８のビス穴部１１８ｂの内径は、想定される必要な光軸ずれ修正量分だけ第６レンズ保持枠１１８が移動できるように、ビス１４５のネジ軸部の外径よりも大きく設定されていることは言うまでもない。
【手続補正１７】
【補正対象書類名】明細書
【補正対象項目名】００４９
【補正方法】変更
【補正の内容】
【００４９】
以上説明したように、上述の実施例ではでは、第６レンズ保持枠１１８を第３レンズ保持枠１０９に組み付ける過程において、第６レンズ保持枠１１８と第３レンズ保持枠１０９の光軸方向間隔を決めた状態（ばね部材１２０のばね力によって第６レンズ保持枠１１８を第３レンズ保持枠１０９に押圧した状態）で、補強板１１９と第６レンズ保持枠１１８との間に設けた調整機構によって、第６レンズ保持枠１１８を第３レンズ保持枠１０９に対して光軸直交面内で移動させ、光軸ずれを修正することができるように構成している。
【手続補正１８】
【補正対象書類名】明細書
【補正対象項目名】００５１
【補正方法】変更
【補正の内容】
【００５１】
また、本実施例では、偏芯ピン１４６の回転を第６レンズ保持枠１１８の光軸直交面内の移動に変換することができるように構成しているため、第６レンズ保持枠１１８の調整移動を外部からの力で直接行う構成と比較して、偏芯ピン１４６の回転量を調整することによって第６レンズ保持枠１１８の第３レンズ保持枠１１８に対する微調整が簡単にでき、光軸ずれを精度良く修正することができる。
【手続補正１９】
【補正対象書類名】明細書
【補正対象項目名】００５２
【補正方法】変更
【補正の内容】
【００５２】
さらに、本実施例では、ビス１４５を締め付ける際にビス１４５の軸部と第３レンズ保持枠１０９のネジ穴部１０９ｄとの間に発生する摩擦力、ビス１４５の頭部と第６レンズ保持枠１１８のフランジ部１１８ａとの間に発生する摩擦力、第６レンズ保持枠１１８を第３レンズ保持枠１０９に対して光軸直交面内で移動させる際に当接面１０９ｂに生じる摩擦力による第３レンズ保持枠１０９の延出部１０９ａの変形・ねじれ、第６レンズ保持枠１１８のフランジ部１１８ａのねじれを、以下のように防止している。
【手続補正２０】
【補正対象書類名】明細書
【補正対象項目名】００５９
【補正方法】削除
【補正の内容】
【手続補正２１】
【補正対象書類名】明細書
【補正対象項目名】００６０
【補正方法】削除
【補正の内容】
【手続補正２２】
【補正対象書類名】明細書
【補正対象項目名】００６１
【補正方法】削除
【補正の内容】
【手続補正２３】
【補正対象書類名】明細書
【補正対象項目名】００６２
【補正方法】削除
【補正の内容】
【手続補正２４】
【補正対象書類名】明細書
【補正対象項目名】００６３
【補正方法】削除
【補正の内容】
【手続補正２５】
【補正対象書類名】明細書
【補正対象項目名】００６４
【補正方法】削除
【補正の内容】
【手続補正２６】
【補正対象書類名】明細書
【補正対象項目名】００６５
【補正方法】削除
【補正の内容】
【手続補正２７】
【補正対象書類名】明細書
【補正対象項目名】００６６
【補正方法】削除
【補正の内容】
【手続補正２８】
【補正対象書類名】明細書
【補正対象項目名】００６７
【補正方法】変更
【補正の内容】
【００６７】
以上説明したように、本実施例によれば、従来の構成と比較して第３レンズ保持枠１０９及び第６レンズ保持枠１１８を簡素で占有空間の小さい形状とすることが可能となり、機器の設計自由度が大幅に向上し、交換レンズ（光学機器）を小型化することが可能となる。